(57)【要約】【課題】プールや銭湯などの衣服を身に着けない施設等の携帯電話の使用が出来ない状況においても伝達可能な伝達装置および情報伝達システムを提供することが求められていた。【解決手段】絶縁部材を用いた本体部と、前記本体部に設けられたＩＣチップと、個人特定情報を含むデータの送受信を行うためのアンテナとからなる非接触ＩＣ媒体と交信することにより個人特定情報を受信する個人特定情報受信手段と、  個人に対応した暗証を入力し、個人の暗証が正しいか判定する暗証判定手段と、  暗証判定の結果、正しい暗証と判定された場合、伝達情報を入力もしくは出力可能な伝達情報入出力手段とからなる情報伝達装置を提供する。【選択図】図１
2009169729.tif 000002
【特許請求の範囲】
【請求項１】
絶縁部材を用いた本体部と、前記本体部に設けられたＩＣチップと、個人特定情報を含むデータの送受信を行うためのアンテナとからなる非接触ＩＣ媒体と交信することにより個人特定情報を受信する個人特定情報受信手段と、
個人に対応した暗証を入力し、個人の暗証が正しいか判定する暗証判定手段と、
暗証判定の結果、正しい暗証と判定された場合、伝達情報を入力もしくは出力可能な伝達情報入出力手段とからなる情報伝達装置。
【請求項２】
伝達情報が、出力可能な個人を特定することが可能な請求項１記載の情報伝達装置。
【請求項３】
伝達情報が、出力可能なグループを特定することが可能な請求項１または２記載の情報伝達装置。
【請求項４】
請求項１から３何れか記載の情報伝達装置により、絶縁部材を用いた本体部と、前記本体部に設けられたＩＣチップと、個人特定情報を含むデータの送受信を行うためのアンテナとからなる非接触ＩＣ媒体を用いて伝達情報の入出力が可能な情報伝達システム。
【請求項５】
非接触ＩＣ媒体が防水であることを特徴とする請求項４記載の情報伝達システム。
【発明の詳細な説明】
【技術分野】
【０００１】
本発明は、プールや銭湯などの衣服を身に着けない施設、その他病院等の携帯電話の使用が出来ない状況においても文字データ、音声データ、動画データ、その他の伝達情報による情報伝達に関する技術に関する。
【背景技術】
【０００２】
個人やグループ間で文字データ、音声データ、動画データ、その他の伝達情報による情報伝達を行う場合、携帯電話により行うことが広く一般に用いられている。
【０００３】
しかし、プールや銭湯などの衣服を身に着けない施設、その他病院等の携帯電話の使用が出来ない状況では携帯電話を使用できない。
【０００４】
この様な問題点を解決する手段として、例えば特許文献１の様な技術が公知である。このシステムは、自動伝言装置と、これらの自動伝言装置と交換機を介して接続されている中央処理装置とによって構成されている。上記交換機２は公衆回線あるいは専用回線を用いて各部を結ぶようになっている。
【０００５】
上記中央処理装置には、暗証用記憶部が設けられており、この暗証用記憶部には各自動伝言装置で記憶されている伝言に対する暗証がどの自動伝言装置で処理されているかを示しているデータ、つまり暗証と端末番号とが対応しているデータが記憶されている。
【０００６】
自動伝言装置は、本体には操作部が形成されている。この操作部には、伝言するときと伝言を呼出すときの案内が表示されるとともに、伝言スタート、伝言呼出しスタートの指示、および伝言内容の入力を行うためのキーなどによって構成される操作キー部が設けられている。
【０００７】
たとえば、伝言するときと伝言を呼出すときの案内が表示されるとともに、伝言スタートキー、伝言呼出しスタートキー、テンキー、カタカナ（５０音）キー、入力確認キー、消キー、停止キー、訂正キーおよびカーソル移動キーによって構成されている。また、操作部の水平面には、プリンタから出力される伝言内容をプリントアウトした用紙が排出される排出口が設けられている。
【０００８】
また、操作部の垂直面には、利用時間、１回の利用料金、伝言有効期間、伝言文字数等が表示される表示部、液晶表示部、プリペイドカード（あるいはキャッシュカード、クレジットカード）あるいは紙幣等を挿入するカード挿入口、硬貨を投入する硬貨投入口、硬貨の釣銭を受取る硬貨釣銭受取口、使用可能を示す使用可モニタ表示器、係員呼出しキーが配設されている。上記液晶表示部は、操作手順、その他の情報を文言によって画面上に表示し、利用者を誘導するようになっている。
【０００９】
自動伝言装置の内部構成は、全体を制御するＣＰＵ、このＣＰＵに接続され、伝言内容を印字出力するプリンタ、暗証登録日時等を示すタイマ、対応する自動伝言装置で登録された暗証とその伝言内容等とが対応して記憶されるメモリおよび伝送制御部、上記カード挿入口から挿入されたカード（紙幣）を受入れ、所定の金額を受取るカード（紙幣）処理部、上記硬貨投入口に投入された硬貨を受入れ、釣銭硬貨を硬貨釣銭受取口に払い出す硬貨処理部によって構成されている。また、上記ＣＰＵには、上記操作キー部、液晶表示部等藻接続されている。
【００１０】
次に、伝言登録動作について、たとえば、利用者が伝言スタートキーを投入する。すると、ＣＰＵは液晶表示部で案内表示を行う。この案内に応じて、個人特定情報を入力する。この入力により、ＣＰＵはそれらの入力内容を上記液晶表示部の操作案内の間に表示する。
【００１１】
次に、ＣＰＵは液晶表示部で、伝言内容の入力を促す。伝言内容の入力が終了したら入力内容を液晶表示部の操作案内の間に表示し、伝言確認を行った後、暗証番号と利用者の氏名等とを組合わせた暗証入力を行う。この暗証の入力により、ＣＰＵは、その暗証５４を上記液晶表示部２５の操作案内の間に表示するとともに、伝言内容等の登録可能状態となる。
【００１２】
そして、上記入力確認した際、ＣＰＵは液晶表示部で利用料金の投入の案内表示を行う。この案内に応じて、利用者は硬貨投入口に硬貨を投入するか、またはプリペイドカードをカード挿入口に挿入することにより、利用料金を支払う。
【００１３】
この料金の支払が確認された場合、ＣＰＵは、上記伝言内容等を暗証およびタイマにより呼出したその登録時間に対応してメモリに記憶（登録）する。また、ＣＰＵは上記暗証を伝送制御部および交換機を介して中央処理装置に転送し、中央処理装置はその転送されてきた暗証とその端末番号とを対応させて暗証用記憶部に記憶する。ついで、ＣＰＵは上記登録動作に伴う料金に対する釣銭を硬貨釣銭受取口に排出するか、あるいは利用料金分を差し引いたプリペイドカードをカード挿入口から返却する。
【００１４】
また、ＣＰＵは、液晶表示部で案内表示を行うとともに、プリンタによって伝言内容の控えが２部プリントアウトされ、１部は排出口から排出されることにより利用者に渡され、もう１部は機体内部に控えとして貯えられるようになっている。
【００１５】
次に、伝言案内動作については、利用者が自動伝言装置の前に立ち、操作キー部の案内表示に応じて伝言呼出しスタートキーを投入すると、ＣＰＵは液晶表示部で、暗証入力の案内を行う。この案内に応じて利用者は暗証を入力する。この入力に応じて、ＣＰＵはまずメモリ内に対応する暗証が有るか否かを検索する。
【００１６】
この検索により、一致する暗証があった場合、ＣＰＵはその暗証に対応して記憶されている伝言内容等を読出して、液晶表示部で表示する。また、その伝言内容は、プリンタによってプリントアウトされ、排出口から排出されることにより利用者に渡される。このプリントアウト後、ＣＰＵはメモリ内の伝言内容を消去し、処理を終了する。
【００１７】
また、ＣＰＵはメモリに一致する暗証が存在しなかった場合、上記暗証を伝送制御部および交換機を介して中央処理装置に転送する。
【００１８】
これにより、中央処理装置はその転送されてきた暗証と一致する暗証を暗証用記憶部によって検索し、この検索により、一致する暗証があった場合、その暗証に対応して記憶されている端末番号に応じて、対応する自動伝言装置に伝言呼出し命令を交換機を介して転送する。すると、伝言呼出し命令が転送された自動伝言装置は、その暗証に対応する伝言を読出して、交換機を介して問合わせのあった自動伝言装置に転送する。これにより、自動伝言装置のＣＰＵはその転送されてきた伝言を液晶表示部で表示する。また、ＣＰＵはプリンタによって伝言をプリントアウトする。このプリントアウトの後、ＣＰＵは伝言が転送された自動伝言装置に対して伝言内容の消去を送信する。
【００１９】
また、中央処理装置での検索により一致する暗証番号が検索できなかった際、その旨を示す返答命令を交換機を介して自動伝言装置に転送し、伝言の無しの案内を表示し、処理
を終了する。
【００２０】
上記したように、複数の自動伝言装置の１つで、伝言内容、暗証をキーボードによりキー入力し、この入力された伝言内容を暗証に対応させてメモリで記憶し、伝言取出し時、キー入力された暗証に対応する伝言を上記メモリから検索して読出すか、あるいは他の自動伝言装置から検索して転送され、この読出された伝言、あるいは転送されてきた伝言を表示するようにしたものである。
【００２１】
これにより、１つの伝言ごとにキー入力できる限度を大きくすることにより、情報交換量を多くすることができる。また、複数の自動伝言装置のどの装置からでも伝言を見ることができるため、情報伝達の場所が限定されないようになっている。また、伝言が暗証により読出されるようになっているため、勝手に読出されることがなく、プライバシーを保護することができ、しかも他人に勝手に改ざんされることを防止することができる。
【００２２】
また、伝言の伝達を行うものとして電話によるものがあるが、音声による伝言のため、伝言に限界があり、また伝言が聞取り難かった場合に伝わり難いという欠点があるのに対して、キー入力あるいはイメージ入力により伝言の入力を行うようにしているため、伝言が充分にかつ確実に伝わるものであり、しかも音声のみの伝言に比べて多量の情報を伝えることができる。また、伝言登録時、あるいは伝言案内時に、伝言内容の控えを取ることもできるようになっている。
【００２３】
なお、伝言登録時と伝言案内時とも料金を徴収するようにしても、その記憶内容を各自動伝言装置のメモリに記憶するようにしても良く、そのメモリの内容は一定時間ごとに他の自動伝言装置からの転送内容で更新されるようにしても、１つの自動伝言装置のみでも単独稼働可能なようにしても良い様になっている。
【００２４】
以下に先行技術文献を示す。
【特許文献１】特公平７−３６１９５号公報
【発明の開示】
【発明が解決しようとする課題】
【００２５】
しかし、上記特許文献１の様なシステムでは、本人の認証に住所、名前、電話番号等の個人特定情報の入力が必須であり、また、確実に個人認証を行うためには個人認証の入力も必要とされていた。
【００２６】
さらに、この他に文字データ、音声データ、動画データ、その他の伝達情報を入力するだけではなく、その伝達情報を伝達する個人やグループを特定する情報の入力も逐一行わなければならなかった。
【００２７】
本発明は、かかる従来技術の問題点を解決するものであり、その課題とするところは文字データ、音声データ、動画データ、その他の伝達情報を入力する他の認証を、最低限の入力で行い、認証を確実に行いうる情報伝達装置および情報伝達システムを提供することにある。
【課題を解決するための手段】
【００２８】
本発明に於いて上記課題を達成するために、まず請求項１の発明では、絶縁部材を用いた本体部と、前記本体部に設けられたＩＣチップと、個人特定情報を含むデータの送受信を行うためのアンテナとからなる非接触ＩＣ媒体と交信することにより個人特定情報を受信する個人特定情報受信手段と、
個人に対応した暗証を入力し、個人の暗証が正しいか判定する暗証判定手段と、
暗証判定の結果、正しい暗証と判定された場合、伝達情報を入力もしくは出力可能な伝達情報入出力手段とからなる情報伝達装置を提供するものである。
【００２９】
また、請求項２の発明では、伝達情報が、出力可能な個人を特定することが可能な請求項１記載の情報伝達装置を提供するものである。
【００３０】
また、請求項３の発明では、伝達情報が、出力可能なグループを特定することが可能な請求項１または２記載の情報伝達装置を提供するものである。
【００３１】
また、請求項４の発明では、請求項１から３何れか記載の情報伝達装置により、絶縁部材を用いた本体部と、前記本体部に設けられたＩＣチップと、個人特定情報を含むデータの送受信を行うためのアンテナとからなる非接触ＩＣ媒体を用いて伝達情報の入出力が可能な情報伝達システムを提供するものである。
【００３２】
また、請求項５の発明では、非接触ＩＣ媒体が防水であることを特徴とする請求項４記載の情報伝達システムを提供するものである。
【発明の効果】
【００３３】
本発明は以上の構成であるから、下記に示す如き効果がある。
【００３４】
本発明の情報伝達装置および情報伝達システムは、文字データ、音声データ、動画データ、その他の伝達情報を入力する他の認証を、最低限の入力で行い、認証を確実に行いうる。
【発明を実施するための最良の形態】
【００３５】
以下、本発明の実施の形態を図面に基づいて詳細に説明する。
【００３６】
図２に本発明の一実施例である非接触ＩＣ媒体を示す。カード形状の非接触ＩＣ媒体１には、２．４５ＧＨｚ、９５０ＭＨｚ等の搬送周波数帯を使う電波方式のＩＣチップ２およびループアンテナの形状を持つアンテナ３を備えるＩＣインレット４が内装されている。ＩＣチップ２にはユーザーが書き換えることができない識別情報が記憶され、また読み書きが可能なユーザーメモリーも搭載されており、外部の読み取り装置とは前述の搬送周波数帯を使う電波方式の無線通信によって、前述の識別情報の読み取りおよびユーザーメモリーの読み書きがおこなわれる。
【００３７】
ＩＣインレット４は、ＰＥＴ、ポリイミド、紙などの基材の上に、アルミ、銅などのエッチングアンテナ、または銀ペーストインキによる印刷アンテナなどが形成され、これらのアンテナにＩＣチップ２が実装されたものである。アンテナ３とＩＣチップ２とは、ＡＣＰ（異方向導電ペースト）／ＡＣＦ（異方向導電フィルム）の熱加圧、超音波によるフリップチップ実装、またはワイヤーボンディングなどにより接続されている。
【００３８】
図２（ａ）はその内部のＩＣインレットの平面図、図２（ｂ）は非接触ＩＣ媒体の平面図、図２（ｃ）は同Ａ−Ａ線による断面図である。塩ビ、ＰＥＴ、アクリル、ポリカーボネイト、紙などの材料を用いた第１基材８および第２基材９に挟まれる形でＩＣインレット４がこれら基材に間に内装されており、接着層７によってそれら全てが接着固定されて防水になっている。接着層７の材料としてはアクリル、エポキシなどの樹脂系の接着剤、ホットメルトなどが使用される。
【００３９】
図３はこの発明に係わる情報伝達システムの端末の一例を示すもので、この伝言システムは浴場等の施設内の便利な場所に設置されるようになっている。
【００４０】
この伝言システムは、複数の端末１１ａ、１１ｂ、…と、これらの端末１１ａ、１１ｂ、…と接続されている中央処理装置１３とによって構成されている。
【００４１】
上記中央処理装置１３には、記憶部１４が設けられており、この記憶部１４には各端末１１ａ、１１ｂ、…で入力された伝言が複数、ＩＤとそのパスワード毎に対応して記憶されている。
【００４２】
上記パスワードは、８桁程度の暗証番号と利用者の氏名等を組合わせたものとなっているが、パスワード以外の単なる暗証番号等の暗証であっても構わない。たとえば、「１９８８１２２３−トッキョタロウ」となっている。これにより、不特定多数の人が利用する場合であっても暗証番号の桁数を上げなくて良く、暗証が重複したり、入力ミスが生じたり、番号忘れが生じたりすることを防止できるようになっている。
【００４３】
上記端末１１ａ（、１１ｂ、…）は、図３に示すように、個別の端末機本体２１の前面には、略Ｌ字形状の操作キー部２２が形成されている。この全面の水平面には、伝言するときと伝言を呼出すときの案内等が表示される液晶表示部２５と非接触ＩＣ媒体をかざすことで交信可能な非接触ＩＣ媒体交信装置２３が、その位置が分かりやすい様な表示とともに設けられている。操作キー部２２は、伝言スタート、伝言呼出しスタートの指示、および伝言内容の入力を行うためのキーなどによって構成される複数のキーから構成されている。たとえば、伝言するときと伝言を呼出すときの案内が液晶表示部２５で表示されるとともに、例えば、伝言スタートキー、伝言呼出しスタートキー、テンキー、カタカナ（５０音）キー、入力確認キー、取消キー、停止キー、訂正キーおよびカーソル移動キーによって構成されている。また、操作部の水平面には、必要に応じてプリンタ２６から出力される伝言内容をプリントアウトした用紙が排出される排出口２４が設けてもよい。
【００４４】
また、操作機本体２１の垂直面には、必要に応じ伝言有効期間、伝言文字数等が表示される液晶表示部２５、非接触ＩＣ媒体交信装置２３の他、使用可能を示す使用可モニタ表示器、係員呼出しキーを設けるものであっても構わない。上記液晶表示部２５は、操作手順、その他の情報を文言によって画面上に表示し、利用者を誘導するようになっている。
【００４５】
上記端末１１ａ（、１１ｂ、…）の内部構成は、図１１に示すように、全体を制御するＣＰＵ２９、このＣＰＵ２９に接続され、伝言内容を印字出力するプリンタ２６、メモリ２７および中央処理装置１２と交信可能な伝送処理部２８によって構成されている。また、上記ＣＰＵ２６には、上記操作キー部２２、液晶表示部２５等も接続されている。
【００４６】
次に、このような構成において、伝言登録動作および伝言案内動作を説明する。
【００４７】
まず、伝言登録動作について、図７、図８に示すフローチャート、および図５のデータ交信図を参照しつつ説明する。たとえば今、利用者が端末機本体１１ａの前に立つと初期画面、例えば「次の操作手順に従って操作して下さい。あなたのカードを接触部にかざして下さい。」という案内表示を行う。それに対応して利用者が、操作キー部２２の案内表示に応じて非接触ＩＣ媒体交信装置２３に自己の非接触ＩＣ媒体１をかざす。
【００４８】
すると、ＣＰＵ２９は非接触ＩＣ媒体交信装置２３を通じて非接触ＩＣ媒体１からＩＤを受信する。このＩＤの受信が成功しなたらば、ＣＰＵ２９は液晶表示部２５で、「あなたのパスワードを入力して下さい。」という案内表示を行う。
【００４９】
この案内に応じて、利用者は、操作キー部２２のテンキー、カタカナ（５０音）キー、入力確認キー、取消キー、停止キー、訂正キーおよびカーソル移動キーなどを用いて、パ
スワードを入力する。この入力に応じて、ＣＰＵ２９は、このＩＤとパスワードを伝送処理部２８を用いて外部の中央処理装置１２に送る。
【００５０】
端末１１ａからその伝送処理部２８を経由して送られたＩＤとパスワードは、中央処理装置１２にて、記憶装置１３から、図４に示す様に仮想記憶されている領域を、甲から順番に検索し、そのＩＤと一致したＩＤの領域のパスワードを取り出し、端末１１ａからのパスワードと記憶装置１３からのパスワードを照合し、その一致不一致を決定し、その結果を端末１１ａに返す。
【００５１】
その結果を受けたＣＰＵ２９は、そのパスワードが不一致した場合は、液晶表示部２５で「該当するＩＤがないか、パスワードが誤っています」等の表示を行い、パスワード入力状態に戻る。
【００５２】
もし３回誤った場合は、液晶表示部２５で「処理できません」という表示をして初期画面に戻る。場合によっては非接触ＩＣ媒体１の使用無効処理を行っても構わない。
【００５３】
もし合致している場合、液晶表示部２５で「伝言内容を入力して下さい。伝言内容の入力行数は＊＊＊行までです。入力文字を訂正したいときは訂正キーを投入して下さい。伝言内容の入力が終了したらシュウリョウと入力して下さい。」等の案内表示を行う。
【００５４】
この案内に応じて、利用者は、カタカナキー３４のカナ漢字変換機能等を用いて伝言内容を入力し、その入力終了後、終了キーを押す。その結果、ＣＰＵ２９は上記液晶表示部２５でその伝言内容を表示するとともに、例えば「入力に間違いはありませんか、あるいきは訂正キーを投入して下さい。伝言内容呼出しの相手もしくはグループを入力して下さい。入力に間違いはありませんか、あるときは訂正キーを投入して下さい。伝言入力、相手特定入力が終了しましたら入力確認キーを入力して下さい。」等の案内を行う。
【００５５】
伝言と伝言相手を認識したＣＰＵ２９は、この伝言と伝言相手を伝送処理部２８を用いて外部の中央処理装置１２に送る。
【００５６】
端末１１ａからその伝送処理部２８を経由して送られた伝言と伝言相手は、中央処理装置１２にて、記憶装置１３に、そのＩＤが仮想記憶されている領域の末尾に伝言と伝言相手を追記し、必要に応じて正常処理した場合はその旨を端末１１ａに返す。
【００５７】
また、必要に応じてＣＰＵ２９は、液晶表示部２５で、「あなたの伝言は確かに記録しました。念のためあなたの伝言をプリントしますので、お受取り下さい。ご利用有難うございました、またどうぞ。」という案内表示を行うが、必要に応じて、プリンタ１３によって伝言内容の控えがプリントアウトされ、１部が排出口２３から排出されることにより利用者に渡される。
【００５８】
全ての処理を終わった端末１ａのＣＰＵ２９は、液晶表示部２５の表示を含めて初期状態に戻す。
【００５９】
次に、伝言案内動作について、図９、図１０に示すフローチャート、および図６のデータ交信図を参照しつつ説明する。たとえば今、利用者が端末機本体１１ａの前に立つと初期画面、例えば「次の操作手順に従って操作して下さい。あなたのカードを接触部にかざして下さい。」という案内表示を行う。それ以降はのパスワード照合作業は伝言登録操作と同様なので省略する。ＩＤとパスワードの認証が成功しなたらば、中央処理装置１２にて記憶装置１３から、図４に示す様に仮想記憶されている領域から伝言先を、甲から順番に伝言先１から末尾まで伝言先を検索し、その伝言先と一致した伝言を順次端末１１ａに
返す。
【００６０】
その結果を受けたＣＰＵ２９は、液晶表示部２５でその伝言を順次表示する。順次伝言を表示する方法は、一定時間で変わる方式でも、「次の伝言を表示したい場合は、次へキーを押してください」という表示を液晶表示部２５でして伝言の順次表示を行う方式でも構わない。
【００６１】
また、必要に応じてＣＰＵ２９は、液晶表示部２５で、「あなたへの伝言をプリントしますので、お受取り下さい。ご利用有難うございました、またどうぞ。」という案内表示を行うが、必要に応じて、プリンタ１３によって伝言内容の控えがプリントアウトされ、１部が排出口２３から排出されることにより利用者に渡される。
【００６２】
全ての処理を終わった端末１ａのＣＰＵ２９は、液晶表示部２５の表示を含めて初期状態に戻す。
【００６３】
なお、上記記憶部１３に記憶した伝言は一定期間経過後に消去されるものであっても、端末１で消去処理を行うことにより消去されるものでも、伝言表示された場合、その都度伝言を消去するものでも、上記複数の消去方法を用いるものでも構わない。
【００６４】
また、伝言の伝達を行うものとして音声による伝言を用いるものや、伝言登録時や伝言案内時とも料金を徴収するようにしても良い。また、中央処理装置に設けられた記憶部で各端末によって入力されているパスワードを認証するように説明したが、これに限らず、その記憶内容を端末のメモリに記憶するようにしても良い。この場合、そのメモリの内容は一定時間ごとに他の自動伝言装置からの転送内容で更新されるようになっている。
【００６５】
また、伝言はカタカナキー３４からの入力情報を公知のカナ漢字変換方式を用いてワープロ入力を行ってもよい。また入力方法は、これに限らず、いくつかの文言の中から選択したり、ライトペンで入力したり、二次元の画像情報読取装置により手書の文字や絵による伝言がそのままの形でイメージ入力されたりするようにしても良い。
【００６６】
さらに、複数の端末によって構成されている場合について説明したが、これに限らず１つの端末のみでも単独稼働可能なようになっている。
【図面の簡単な説明】
【００６７】
【図１】本発明の一実施例である情報伝達装置のシステム構成図である。
【図２】本発明の一実施例である情報伝達システムに用いる非接触ＩＣ媒体の外観図であり、（ａ）はその内部のＩＣインレットの平面図、（ｂ）は非接触ＩＣ媒体の平面図、（ｃ）は同Ａ−Ａ線による断面図である。
【図３】本発明の一実施例である情報伝達装置の端末の斜視図である。
【図４】本発明の一実施例である情報伝達装置の記憶部の仮想記憶マップである。
【図５】本発明の一実施例である情報伝達システムにおける、伝言登録時のデータ交信図である。
【図６】本発明の一実施例である情報伝達システムにおける、伝言案内時のデータ交信図である。
【図７】本発明の一実施例である情報伝達システムにおける、伝言登録時の端末の処理フローチャートである。
【図８】本発明の一実施例である情報伝達システムにおける、伝言登録時の中央処理装置の処理フローチャートである。
【図９】本発明の一実施例である情報伝達システムにおける、伝言案内時の端末の処理フローチャートである。
【図１０】本発明の一実施例である情報伝達システムにおける、伝言案内時の中央処理装置の処理フローチャートである。
【図１１】本発明の一実施例である情報伝達装置の端末の構成図である。
【符号の説明】
【００６８】
１    非接触ＩＣ媒体
２    ＩＣチップ
３    アンテナ
４    ＩＣインレット
７    接着剤
８    第１基材
９    第２基材
１０  非接触ＩＣ媒体
Ａ    仮想線
１１  端末
１１ａ、１１ｂ、〜    個別の端末
１２  中央処理装置
１３  記憶部
２１  端末機本体
２２  操作キー部
２３  非接触ＩＣ媒体交信装置
２４  排出口
２５  液晶表示部
２６  プリンタ
２７  メモリ
２８  伝送処理部
２９  ＣＰＵ
【図１】
2009169729.tif 000003
【図２】
2009169729.tif 000004
【図３】
2009169729.tif 000005
【図４】
2009169729.tif 000006
【図５】
2009169729.tif 000007
【図６】
2009169729.tif 000008
【図７】
2009169729.tif 000009
【図８】
2009169729.tif 000010
【図９】
2009169729.tif 000011
【図１０】
2009169729.tif 000012
【図１１】
2009169729.tif 000013